(57)【要約】【課題】  踏面部がパネルに当たることを抑制しつつ、スライド部がスライド面でパネルの上を円滑にスライドするマンコンベヤ用ステップ及びマンコンベヤを提供する。【解決手段】  マンコンベヤは、マンコンベヤ用ステップを複数備える。マンコンベヤ用ステップは、パネルに幅方向で挟まれるマンコンベヤ用ステップにおいて、人に乗られる踏面部と、パネルの上をスライドするスライド部と、を備え、スライド部は、踏面部の幅方向の外側端よりも、幅方向の外側に配置される平面状のスライド面と、スライド面と交差するようにスライド面の外周部に連接されるガイド面と、を備え、ガイド面の幅方向の内側端は、踏面部の幅方向の外側端よりも、幅方向の内側に配置される。【選択図】  図５
2020125200.tif 000002
【特許請求の範囲】
【請求項１】
パネルに幅方向で挟まれるマンコンベヤ用ステップにおいて、
人に乗られる踏面部と、
前記パネルの上をスライドするスライド部と、を備え、
前記スライド部は、前記踏面部の幅方向の外側端よりも、幅方向の外側に配置される平面状のスライド面と、前記スライド面と交差するように前記スライド面の外周部に連接されるガイド面と、を備え、
前記ガイド面の幅方向の内側端は、前記踏面部の幅方向の外側端よりも、幅方向の内側に配置される、マンコンベヤ用ステップ。
【請求項２】
人を搬送方向に搬送するために、搬送方向に走行するマンコンベヤ用ステップに対して、
前記スライド面の搬送方向の寸法は、前記スライド面の搬送方向と直交する方向の寸法よりも、大きい、請求項１に記載のマンコンベヤ用ステップ。
【請求項３】
前記ガイド面は、前記スライド面の搬送方向の外周部に連接される平面状の第１外周面と、前記スライド面の搬送方向と直交する方向の外周部に連接される平面状の第２外周面と、を含み、
前記第１外周面と前記スライド面との交差角度は、前記第２外周面と前記スライド面との交差角度よりも、大きい、請求項１又は２に記載のマンコンベヤ用ステップ。
【請求項４】
請求項１〜３の何れか１項に記載のマンコンベヤ用ステップを複数備える、マンコンベヤ。
【発明の詳細な説明】
【技術分野】
【０００１】
本発明は、マンコンベヤ用ステップ及びマンコンベヤに関する。
【背景技術】
【０００２】
従来、例えば、マンコンベヤは、人を搬送する複数のステップと、ステップを幅方向で挟むパネルとを備えている。ステップは、人に乗られる踏面部と、パネルの上をスライドするスライド部とを備えており、スライド部は、踏面部の幅方向の外側端よりも幅方向の外側に配置される平面状のスライド面を備えている（例えば、特許文献１の図２）。
【０００３】
ところで、ステップが環状の走行経路を走行することに対して、パネルは、当該走行経路の一部のみに配置されている。これにより、走行するステップに対して、パネルが出現した際に、例えば、スライド部がパネルに引っ掛かる可能性がある。なお、ステップがパネル以外の部材（例えば、レール）をスライドする構成（例えば、特許文献１の図４及び図７Ａ）を採用することもできるが、斯かる構成においては、踏面部がパネルに当たる可能性がある。
【先行技術文献】
【特許文献】
【０００４】
【特許文献１】特開２０１４−１１４１４０号公報
【発明の概要】
【発明が解決しようとする課題】
【０００５】
そこで、課題は、踏面部がパネルに当たることを抑制しつつ、スライド部がスライド面でパネルの上を円滑にスライドするマンコンベヤ用ステップ及びマンコンベヤを提供することである。
【課題を解決するための手段】
【０００６】
マンコンベヤ用ステップは、パネルに幅方向で挟まれるマンコンベヤ用ステップにおいて、人に乗られる踏面部と、前記パネルの上をスライドするスライド部と、を備え、前記スライド部は、前記踏面部の幅方向の外側端よりも、幅方向の外側に配置される平面状のスライド面と、前記スライド面と交差するように前記スライド面の外周部に連接されるガイド面と、を備え、前記ガイド面の幅方向の内側端は、前記踏面部の幅方向の外側端よりも、幅方向の内側に配置される。
【０００７】
また、マンコンベヤ用ステップにおいては、人を搬送方向に搬送するために、搬送方向に走行するマンコンベヤ用ステップに対して、前記スライド面の搬送方向の寸法は、前記スライド面の搬送方向と直交する方向の寸法よりも、大きい、という構成でもよい。
【０００８】
また、マンコンベヤ用ステップにおいては、前記ガイド面は、前記スライド面の搬送方向の外周部に連接される平面状の第１外周面と、前記スライド面の搬送方向と直交する方向の外周部に連接される平面状の第２外周面と、を含み、前記第１外周面と前記スライド面との交差角度は、前記第２外周面と前記スライド面との交差角度よりも、大きい、という構成でもよい。
【０００９】
また、マンコンベヤは、前記のマンコンベヤ用ステップを複数備える。
【図面の簡単な説明】
【００１０】
【図１】図１は、一実施形態に係るマンコンベヤの概要図である。
【図２】図２は、同実施形態に係るマンコンベヤ用ステップの斜視図である。
【図３】図３は、同実施形態に係るマンコンベヤ用ステップの正面図である。
【図４】図４は、同実施形態に係るマンコンベヤ用ステップの要部側面図である。
【図５】図５は、図４のＶ領域拡大図である。
【図６】図６は、図３のVI領域拡大図である。
【図７】図７は、同実施形態に係るマンコンベヤ用ステップの搬送方向と直交する方向視の要部図である。
【図８】図８は、同実施形態に係るマンコンベヤ用ステップの搬送方向視の要部図である。
【図９】図９は、同実施形態に係るマンコンベヤの要部概要図である。
【図１０】図１０は、他の実施形態に係るマンコンベヤ用ステップの搬送方向と直交する方向視の要部図である。
【図１１】図１１は、同実施形態に係るマンコンベヤ用ステップの搬送方向視の要部図である。
【発明を実施するための形態】
【００１１】
以下、マンコンベヤ用ステップ及びマンコンベヤにおける一実施形態について、図１〜図９を参照しながら説明する。なお、各図（図１０及び図１１も同様）において、図面の寸法比と実際の寸法比とは、必ずしも一致しておらず、また、各図面の間での寸法比も、必ずしも一致していない。
【００１２】
図１に示すように、本実施形態に係るマンコンベヤ１は、躯体に固定される構造部１ａと、人を搬送する搬送部２と、搬送部２を第１方向Ｄ１で挟むように配置される一対の欄干部３，３（図１においては、一つのみを図示している）とを備えている。また、マンコンベヤ１は、搬送部２及び欄干部３を駆動させる駆動部４と、マンコンベヤ１の全体を制御する制御部１ｂとを備えている。
【００１３】
図１において、第１方向Ｄ１は、水平方向と平行な方向であって、幅方向Ｄ１といい、第２方向Ｄ２は、水平方向と平行な方向で且つ幅方向Ｄ１と直交する方向であって、前後方向Ｄ２という。第３方向Ｄ３は、鉛直方向と平行な方向であって、上下方向Ｄ３という。
【００１４】
第４方向Ｄ４は、搬送部２が人を搬送する方向であって、搬送方向Ｄ４といい、第５方向Ｄ５は、搬送方向Ｄ４と直交する方向（以下、「搬送直交方向」ともいう）Ｄ５という。なお、第２〜第５方向Ｄ２〜Ｄ５は、それぞれ所定の同一仮想面に含まれる方向であって、第１方向Ｄ１は、当該仮想面に対して直交する方向である。
【００１５】
また、本実施形態に係るマンコンベヤ１は、人を搬送するために、踏面が階段状になるエスカレータであるが、斯かる構成に限られない。例えば、マンコンベヤ１は、人を搬送するために、踏面が平面状となる移動歩道（動く歩道）であってもよい。
【００１６】
構造部１ａは、上下階の間に掛け渡されるようにして、躯体に固定されている。なお、構造部１ａの構成は、特に限定されないが、例えば、構造部１ａは、トラス構造又はケタ構造とすることができる。また、構造部１ａは、各構成１ｂ，２〜４を支持している。
【００１７】
搬送部２は、無端回転する環状の走行部２ａと、走行部２ａに対して回転可能に接続され、人が乗る踏面を有する複数のステップ５とを備えている。走行部２ａは、幅方向Ｄ１に離れて一対設けられている（図１においては、一つのみ図示している）。そして、複数のステップ５は、一対の走行部２ａ，２ａの間に配置され、それぞれの走行部２ａに対して回転可能に接続されている。
【００１８】
また、ステップ５は、所定の走行経路を走行する。具体的には、ステップ５は、人を搬送するための搬送経路と、搬送経路よりも下方の経路であって、搬送経路に戻るための戻り経路と、走行経路の各端部の経路であって、搬送経路から戻り経路へ（又は、戻り経路から搬送経路へ）反転する反転経路と、を走行する。そして、ステップ５は、搬送経路を走行する際に、構造部１ａから露出して走行する。一方で、ステップ５は、反転経路及び戻り経路を走行する際に、構造部１ａの内部を走行する。
【００１９】
ところで、ステップ５における幅方向Ｄ１は、ステップ５の位置（搬送経路、戻り経路、反転経路）に関わらず一定であるが、ステップ５におけるそれ以外の方向Ｄ２〜Ｄ５は、ステップ５の位置によって変わる。そこで、本明細書及び各図において、ステップ５における各方向Ｄ２〜Ｄ５は、ステップ５が搬送経路に位置する際の、各方向Ｄ２〜Ｄ５を使用する。
【００２０】
駆動部４は、ステップ５が反転するように、走行部２ａが巻き掛けられる一対の回転部（例えば、スプロケット）４ａ，４ａと、回転部４ａを回転させる駆動源（例えば、モータ）４ｂとを備えている。回転部４ａは、構造部１ａに回転可能に接続されている。
【００２１】
欄干部３は、欄干本体３ａと、欄干本体３ａに支持され、環状に走行する手摺部３ｂと、下方側で且つ幅方向Ｄ１の内側に配置されるパネル（「スカートパネル」ともいう）３ｃとを備えている。なお、幅方向Ｄ１において、内側は、ステップ５の幅方向Ｄ１の中心に近い側のことであり、外側は、ステップ５の幅方向Ｄ１の中心から遠い側のことである。これにより、ステップ５は、幅方向Ｄ１で、一対の欄干部３，３のそれぞれのパネル３ｃ，３ｃに挟まれている。
【００２２】
また、パネル３ｃは、ステップ５の走行経路のうち、一部のみに配置されている。具体的には、パネル３ｃは、ステップ５の搬送経路のみに配置されている。これにより、ステップ５は、搬送経路を走行する際に、一対の欄干部３，３のそれぞれのパネル３ｃ，３ｃに挟まれている。なお、パネル３ｃは、欄干本体３ａに対して着脱可能に構成されている。
【００２３】
図２〜図４に示すように、搬送部２は、一対の走行部２ａ，２ａにそれぞれ連結される連結軸２ｂを備えており、ステップ５は、連結軸２ｂに回転可能に連結されている。これにより、ステップ５は、走行部２ａに対して回転可能に接続されている。なお、走行部２ａの構成は、特に限定されないが、本実施形態においては、走行部２ａは、チェーン２ｃと、チェーン２ｃに回転可能に接続される第１ローラ２ｄとを備えている。
【００２４】
ステップ５は、ステップ本体５ａと、ステップ本体５ａに回転可能に接続される第２ローラ５ｂとを備えている。ステップ本体５ａは、人に乗られる踏面部５ｃと、湾曲状に形成される蹴上部５ｄと、搬送部２の連結軸２ｂに回転可能に連結される連結部５ｅとを備えている。
【００２５】
なお、マンコンベヤ１は、第１ローラ２ｄをガイドする第１レール１ｃと、第２ローラ５ｂをガイドする第２レール１ｄとを備えている。第１レール１ｃ及び第２レール１ｄは、それぞれ構造部１ａに固定されている。そして、各レール１ｃ，１ｄが各ローラ２ｄ，５ｂをガイドすることによって、ステップ５は、所定の走行経路を走行する。
【００２６】
また、ステップ５は、欄干部３のパネル３ｃの上をスライドするスライド部６と、ステップ本体５ａから幅方向Ｄ１の外側に突出し、スライド部６を支持する支持部５ｆとを備えている。なお、欄干本体３ａは、パネル３ｃを補強するための補強部３ｄを備えている。
【００２７】
図５に示すように、スライド部６は、パネル３ｃの上をスライドするために、平面状に形成されるスライド面６ａを備えている。そして、スライド面６ａは、踏面部５ｃの幅方向Ｄ１の外側端よりも、幅方向Ｄ１の外側に配置されている。これにより、スライド面６ａがパネル３ｃの上をスライドすることによって、踏面部５ｃがパネル３ｃに当たることを抑制することができる。なお、図５において、破線は、踏面部５ｃの幅方向Ｄ１の外側端の位置を示している。
【００２８】
ところで、パネル３ｃは、ステップ５の搬送経路のみに配置されている。これにより、例えば、ステップ５が搬送経路を走行し始める際に（又は、ステップ５が搬送経路を所定距離だけ走行した際に）、パネル３ｃが出現することになる。そこで、スライド部６は、パネル３ｃの端部をスライド面６ａまでガイドするために、スライド面６ａと交差するようにスライド面６ａの外周部に連接されるガイド面６ｂを備えている。
【００２９】
そして、ガイド面６ｂの幅方向Ｄ１の内側端は、踏面部５ｃの幅方向Ｄ１の外側端よりも、幅方向Ｄ１の内側に配置されている。なお、ガイド面６ｂの幅方向Ｄ１の外側端が、スライド面６ａと同じ位置であるため、ガイド面６ｂの幅方向Ｄ１の外側端は、踏面部５ｃの幅方向Ｄ１の外側端よりも、幅方向Ｄ１の外側に配置されている。これにより、ガイド面６ｂは、踏面部５ｃの幅方向Ｄ１の外側端よりも幅方向Ｄ１の外側の位置から、踏面部５ｃの幅方向Ｄ１の外側端よりも幅方向Ｄ１の内側の位置まで、配置されている。
【００３０】
したがって、走行するステップ５に対して、パネル３ｃが出現した際に、パネル３ｃの端部が確実にガイド面６ｂに当たるため、ガイド面６ｂは、パネル３ｃをスライド面６ａまで確実にガイドする。その結果、例えば、スライド部６がパネル３ｃに引っ掛かることを抑制することができるため、スライド部６は、スライド面６ａで、パネル３ｃの上を円滑にスライドする。
【００３１】
なお、パネル３ｃ及びスライド部６の材質は、特に限定されないが、本実施形態においては、スライド部６は、パネル３ｃの上をスライドすることによって、摩耗する材質を採用している。例えば、パネル３ｃは、金属で形成され、スライド部６は、硬質樹脂で形成されてもよい。
【００３２】
そして、図６〜図８に示すように、スライド部６は、スライド部６の摩耗度を検出する摩耗検出部６ｃを備えている。摩耗検出部６ｃの構成は、特に限定されないが、本実施形態においては、摩耗検出部６ｃは、凹状に形成されている。具体的には、摩耗検出部６ｃは、円形状の凹部である。
【００３３】
これにより、スライド部６が摩耗することによって、摩耗検出部６ｃ（凹部）の深さが浅くなるため、スライド６の摩耗度を検出することができる。例えば、摩耗検出部６ｃ（凹部）が無くなることを、スライド部６を交換する目安としてもよい。なお、摩耗検出部６ｃは、所定方向に延びる凹部、即ち、溝状に形成されてもよい。
【００３４】
また、スライド面６ａは、中央に、開口部６ｄを備えている。これにより、スライド面６ａの面積を小さくすることができるため、スライド面６ａとパネル３ｃ（図４及び図５参照）との間に発生する摩擦力を小さくすることができる一方で、スライド面６ａの寸法Ｗ１，Ｗ２を十分に確保することができる。なお、スライド面６ａは、開口部６ｄを備えていなくてもよい。
【００３５】
そして、スライド面６ａの搬送方向Ｄ４の寸法Ｗ１は、スライド面６ａの搬送直交方向Ｄ５の寸法Ｗ２よりも、大きくなっている。なお、スライド部６は、支持部５ｆに対して不動に固定されている。これにより、スライド部６が回転することによって、スライド面６ａの各寸法Ｗ１，Ｗ２が変わることはない。なお、スライド部６は、支持部５ｆに対して回転可能に接続されている、という構成でもよい。
【００３６】
また、ガイド面６ｂは、スライド面６ａの搬送方向Ｄ４の外周部に連接される第１外周面６ｅ，６ｅと、スライド面６ａの搬送直交方向Ｄ５の外周部に連接される第２外周面６ｆ，６ｆとを含んでいる。なお、ガイド面６ｂは、スライド面６ａの外周部の全周に配置されている。
【００３７】
第１外周面６ｅ及び第２外周面６ｆは、それぞれ平面状に形成されている。そして、第１外周面６ｅとスライド面６ａとが交差する交差角度θ１は、第２外周面６ｆとスライド面６ａとが交差する交差角度θ２よりも、大きくなっている。なお、ガイド面６ｂがパネル３ｃをスライド面６ａまで円滑にガイドするために、ガイド面６ｂとスライド面６ａとが交差する交差角度θ１，θ２は、１３５°以上であることが好ましい。
【００３８】
ここで、スライド面６ａの寸法Ｗ１，Ｗ２と、ガイド面６ｂ（各外周面６ｅ，６ｆ）とスライド面６ａとの交差角度θ１，θ２とによる作用について、図９を参照しながら説明する。
【００３９】
図９に示すように、スライド面６ａがパネル３ｃの上をスライドするため、パネル３ｃには、スライド傷が発生する。そして、パネル３ｃのスライド傷は、スライド面６ａにスライドされる領域に発生するため、当該スライド傷が発生する領域は、スライド面６ａの大きさに起因する。なお、図９において、破線は、スライド傷が発生する領域のうち、上端縁と下端縁とを示している。
【００４０】
そこで、スライド面６ａの搬送直交方向Ｄ５の寸法Ｗ２は、スライド面６ａの搬送方向Ｄ４の寸法Ｗ１よりも、小さくなっている（図６〜図８参照）。これにより、スライド傷が搬送直交方向Ｄ５に大きくなることを抑制することができる。したがって、複数のステップ５の踏面部５ｃ及び蹴上部５ｄによって、パネル３ｃのスライド傷を隠すことができるため、踏面部５ｃに乗った人がスライド傷に気付くことを抑制することができる。
【００４１】
また、ステップ５が搬送経路を走行する際に、各ローラ２ｄ，５ｂは、それぞれレール１ｃ，１ｄの上を転がることで、ガイドされている。そして、レール１ｃ，１ｄは、搬送方向Ｄ４に沿って延びている。これにより、ステップ５が揺動する場合は、ローラ２ｄ，５ｂがレール１ｃ，１ｄの上を滑るようにして、ステップ５が揺動し易い。即ち、ステップ５が搬送直交方向Ｄ５を中心として揺動し易い。
【００４２】
それに対して、スライド面６ａの搬送方向Ｄ４の寸法Ｗ１は、スライド面６ａの搬送直交方向Ｄ５の寸法Ｗ２よりも、大きくなっている（図６〜図８参照）。これにより、スライド面６ａの搬送方向Ｄ４の寸法Ｗ１が大きいため、ステップ５が搬送直交方向Ｄ５を中心として揺動しようとした場合に、スライド面６ａは、パネル３ｃに接することによって、当該揺動を効果的に規制する。これにより、ステップ５が揺動することを抑制することができる。
【００４３】
なお、スライド面６ａが当該揺動を規制するにも関わらず、特に、スライド部６が摩耗することに伴って、ステップ５が当該揺動をしてしまう場合がある。そして、ガイド面６ｂがパネル３ｃに接するまで、ステップ５が揺動した場合には、ガイド面６ｂのうち、第１外周面６ｅ（図６〜図８参照）がパネル３ｃに接することになる。
【００４４】
それに対して、第１外周面６ｅとスライド面６ａとの交差角度θ１は、第２外周面６ｆとスライド面６ａとの交差角度θ２よりも、大きくなっている（図６〜図８参照）。これにより、スライド面６ａがパネル３ｃの上をスライドしている際に、第１外周面６ｅとパネル３ｃとの隙間の角度は、小さくなっている。したがって、第１外周面６ｅがパネル３ｃと接するまでに、ステップ５が揺動できる角度が、小さくなるため、ステップ５が揺動することを抑制することができる。
【００４５】
以上より、本実施形態に係るマンコンベヤ１は、マンコンベヤ１用ステップ５を複数備える。
【００４６】
そして、本実施形態に係るマンコンベヤ１用ステップ５は、パネル３ｃに幅方向Ｄ１で挟まれるマンコンベヤ１用ステップ５において、人に乗られる踏面部５ｃと、前記パネル３ｃの上をスライドするスライド部６と、を備え、前記スライド部６は、前記踏面部５ｃの幅方向Ｄ１の外側端よりも、幅方向Ｄ１の外側に配置される平面状のスライド面６ａと、前記スライド面６ａと交差するように前記スライド面６ａの外周部に連接されるガイド面６ｂと、を備え、前記ガイド面６ｂの幅方向Ｄ１の内側端は、前記踏面部５ｃの幅方向Ｄ１の外側端よりも、幅方向Ｄ１の内側に配置される。
【００４７】
斯かる構成によれば、スライド面６ａは、踏面部５ｃの幅方向Ｄ１の外側端よりも、幅方向Ｄ１の外側に配置されている。そして、スライド面６ａがパネル３ｃの上をスライドするため、踏面部５ｃがパネル３ｃに当たることを抑制することができる。
【００４８】
また、ガイド面６ｂは、スライド面６ａと交差するように、スライド面６ａの外周部に連接されている。しかも、ガイド面６ｂの幅方向Ｄ１の内側端は、踏面部５ｃの幅方向Ｄ１の外側端よりも、幅方向Ｄ１の内側に配置されている。これにより、ガイド面６ｂがパネル３ｃをスライド面６ａまで確実にガイドするため、スライド部６は、スライド面６ａで、パネル３ｃの上を円滑にスライドする。
【００４９】
また、本実施形態に係るマンコンベヤ１用ステップ５においては、人を搬送方向Ｄ４に搬送するために、搬送方向Ｄ４に走行するマンコンベヤ１用ステップ５に対して、前記スライド面６ａの搬送方向Ｄ４の寸法Ｗ１は、前記スライド面６ａの搬送方向Ｄ４と直交する方向Ｄ５の寸法Ｗ２よりも、大きい、という構成である。
【００５０】
斯かる構成によれば、ステップ５が搬送方向Ｄ４と直交する方向Ｄ５を中心として揺動しようとする際に、スライド面６ａの搬送方向Ｄ４の寸法Ｗ１が大きいため、スライド面６ａは、パネル３ｃに接することによって、当該揺動を効果的に規制する。これにより、ステップ５が揺動することを抑制することができる。
【００５１】
また、本実施形態に係るマンコンベヤ１用ステップ５においては、前記ガイド面６ｂは、前記スライド面６ａの搬送方向Ｄ４の外周部に連接される平面状の第１外周面６ｅ，６ｅと、前記スライド面６ａの搬送方向Ｄ４と直交する方向Ｄ５の外周部に連接される平面状の第２外周面６ｆ，６ｆと、を含み、前記第１外周面６ｅと前記スライド面６ａとの交差角度θ１は、前記第２外周面６ｆと前記スライド面６ａとの交差角度θ２よりも、大きい、という構成である。
【００５２】
斯かる構成によれば、スライド面６ａがステップ５の揺動を規制したに関わらず、ステップ５が搬送方向Ｄ４と直交する方向Ｄ５を中心として揺動してしまった場合には、第１外周面６ｅがパネル３ｃに接する。このとき、第１外周面６ｅとスライド面６ａとの交差角度θ１が大きいため、当該揺動が大きくなることを抑制することができる。
【００５３】
なお、マンコンベヤ１及びマンコンベヤ１用ステップ５は、上記した実施形態の構成に限定されるものではなく、また、上記した作用効果に限定されるものではない。また、マンコンベヤ１及びマンコンベヤ１用ステップ５は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５４】
（１）上記実施形態に係るマンコンベヤ１用ステップ５においては、スライド面６ａの搬送方向Ｄ４の寸法Ｗ１は、スライド面６ａの搬送直交方向Ｄ５の寸法Ｗ２よりも、大きい、という構成である。しかしながら、マンコンベヤ１用ステップ５は、斯かる構成が好ましいものの、斯かる構成に限られない。例えば、スライド面６ａの搬送方向Ｄ４の寸法Ｗ１は、スライド面６ａの搬送直交方向Ｄ５の寸法Ｗ２以下である、という構成でもよい。
【００５５】
（２）また、上記実施形態に係るマンコンベヤ１用ステップ５においては、第１外周面６ｅとスライド面６ａとの交差角度θ１は、第２外周面６ｆとスライド面６ａとの交差角度θ２よりも、大きい、という構成である。しかしながら、マンコンベヤ１用ステップ５は、斯かる構成が好ましいものの、斯かる構成に限られない。例えば、第１外周面６ｅとスライド面６ａとの交差角度θ１は、第２外周面６ｆとスライド面６ａとの交差角度θ２以下である、という構成でもよい。
【００５６】
（３）また、上記実施形態に係るマンコンベヤ１用ステップ５においては、ガイド面６ｂは、スライド面６ａの外周部の全周に配置されている、という構成である。しかしながら、マンコンベヤ１用ステップ５は、斯かる構成に限られない。例えば、ガイド面６ｂは、スライド面６ａの外周部の一部に配置されている、という構成でもよい。
【００５７】
（４）また、上記実施形態に係るマンコンベヤ１用ステップ５においては、ガイド面６ｂは、平面状に形成されている、という構成である。しかしながら、マンコンベヤ１用ステップ５は、斯かる構成に限られない。例えば、図１０及び図１１に示すように、ガイド面６ｂは、曲面状に形成されている、という構成でもよい。
【００５８】
例えば、図１０及び図１１に係るガイド面６ｂは、スライド面６ａの搬送方向Ｄ４の外周部に連接される曲面状の第１外周面６ｅ，６ｅと、スライド面６ａの搬送直交方向Ｄ５の外周部に連接される曲面状の第２外周面６ｆ，６ｆと、を含んでいる。なお、斯かる構成においては、それぞれの外周面６ｅ，６ｆは、外方に向けて凸状となるような曲面状であって、第１外周面６ｅの曲率半径は、第２外周面６ｆの曲率半径よりも、大きい、という構成が好ましい。
【００５９】
（５）また、上記実施形態に係るマンコンベヤ１用ステップ５においては、摩耗検出部６ｃは、凹状に形成されている、という構成である。しかしながら、マンコンベヤ１用ステップ５は、斯かる構成に限られない。例えば、摩耗検出部６ｃは、スライド面６ａと異なる色を有する表示部であって、スライド面６ａから所定の深さの位置に配置されている、という構成としてもよい。斯かる構成によれば、摩耗検出部６ｃ（表示部）が露出することを、スライド部６を交換する目安としてもよい。なお、スライド部６は、摩耗検出部６ｃを備えていなくてもよい。
【符号の説明】
【００６０】
１…マンコンベヤ、１ａ…構造部、１ｂ…制御部、１ｃ…第１レール、１ｄ…第２レール、２…搬送部、２ａ…走行部、２ｂ…連結軸、２ｃ…チェーン、２ｄ…第１ローラ、３…欄干部、３ａ…欄干本体、３ｂ…手摺部、３ｃ…パネル、３ｄ…補強部、４…駆動部、４ａ…回転部、４ｂ…駆動源、５…ステップ、５ａ…ステップ本体、５ｂ…第２ローラ、５ｃ…踏面部、５ｄ…蹴上部、５ｅ…連結部、５ｆ…支持部、６…スライド部、６ａ…スライド面、６ｂ…ガイド面、６ｃ…摩耗検出部、６ｄ…開口部、６ｅ…第１外周面、６ｆ…第２外周面、Ｄ１…幅方向、Ｄ２…前後方向、Ｄ３…上下方向、Ｄ４…搬送方向、Ｄ５…搬送直交方向
【図１】
2020125200.tif 000003
【図２】
2020125200.tif 000004
【図３】
2020125200.tif 000005
【図４】
2020125200.tif 000006
【図５】
2020125200.tif 000007
【図６】
2020125200.tif 000008
【図７】
2020125200.tif 000009
【図８】
2020125200.tif 000010
【図９】
2020125200.tif 000011
【図１０】
2020125200.tif 000012
【図１１】
2020125200.tif 000013